(57)【要約】      （修正有）【課題】猪や鹿等の野生動物の侵入を確実に阻止しながら、高い設置作業効率を実現する害獣防護柵を提供する。【解決手段】所定の間隔をあけて地面に複数の支柱２を立設し、複数の支柱２に渡りネット３を保持させた害獣防護柵１において、支柱２は地中に下端が埋設される基杆４と２本の補助杆５，５とを備え、補助杆５，５は基杆４に対して傾斜するようにその下端部を地中に埋設するとともに、各補助杆５，５の頂部をそれぞれ基杆４の頂部に接続する。【選択図】図１
2014166162.tif 000002
【特許請求の範囲】
【請求項１】
所定の間隔をあけて地面に複数の支柱を立設し、該複数の支柱に渡りネットを保持させた害獣防護柵において、
前記支柱は、地中に下端が埋設される基杆と、２本の補助杆と、を備え、
前記補助杆は、前記基杆に対して傾斜するようにその下端部が前記地中に埋設されるとともに、前記２本の補助杆の頂部が、それぞれ前記基杆の頂部に接続される
ことを特徴とする害獣防護柵。
【請求項２】
前記支柱は、前記２本の補助杆の下端が前記基杆より柵外側に配置され、
前記ネットは、前記支柱の上部に保持されるとともに前記補助杆の上に載置されている
ことを特徴とする請求項１に記載の害獣防護柵。
【請求項３】
前記基杆と前記補助杆とは、固定手段により接続されるようになっており、
該固定手段は、前記基杆を取囲む環状の固定部材と、前記補助杆の頂部に設けられた板状の突片と、前記基杆と前記固定部材との間に挿入されて前記固定部材を前記基杆に近接せしめる楔部材と、を備え、
前記補助杆における前記突片は前記基杆と前記固定部材との間に配置される
ことを特徴とする請求項１または２に記載の害獣防護柵。
【請求項４】
前記補助杆は、前記地中への埋設部分に複数の凹凸を備える
ことを特徴とする請求項１ないし３のいずれかに記載の害獣防護柵。
【請求項５】
前記支柱は、前記ネットの保持部を上端に有し、該支柱の高さを延長するための延長用基杆を備え、
前記基杆には、前記延長用基杆の取付部が前記固定部材と前記楔部材とに干渉しない位置に設けられている
ことを特徴とする請求項３または４に記載の害獣防護柵。
【発明の詳細な説明】
【技術分野】
【０００１】
本発明は、猪や鹿等の野生動物が農地に侵入するのを防止するための害獣防護柵に関する。
【背景技術】
【０００２】
近年、本来山奥に生息する猪や鹿などの野生動物が人里に現れ、ゴルフ場や農地等に侵入して芝や農作物を食い荒らす被害が各地で見られており、このような猪や鹿による被害対策の一例としてゴルフ場や農地の周囲に所定の間隔をあけて複数本の支柱をその頂部をハンマーなどで叩いて地中に打ち込むことで下端を地面に埋設し、これらの支柱にネットを渡して野生動物の侵入を防止するものがある（例えば、特許文献１参照）。しかしながら、猪や鹿等の野生動物の突進力は強力であり、地面に立設した支柱がその力で転倒し、実質的にネットによる野生動物の侵入を防ぐのが難しく、そのため支柱を地中奥深くまで刺し込んで抜け難くする必要があった。
【先行技術文献】
【特許文献】
【０００３】
【特許文献１】特開２０１１−２３９７１２公報（第７頁、第１図）
【発明の概要】
【発明が解決しようとする課題】
【０００４】
しかし、抜け難いだけの支柱の刺し込み寸法を十分に確保しながら、野生動物の侵入を防ぐ高さのネットを張ろうとすると、実質的に長い支柱が必要となり、支柱設置時において足場の高い脚立などを必要とするばかりか、支柱の打ち込み作業が煩雑なものとなっていた。また支柱の運搬作業も煩雑となるため設置作業効率が低いという問題があった。
【０００５】
本発明は、このような問題点に着目してなされたもので、猪や鹿等の野生動物の侵入を阻止しながら、高い設置作業効率を実現する害獣防護柵を提供することを目的とする。
【課題を解決するための手段】
【０００６】
前記課題を解決するために、本発明の害獣防護柵は、
所定の間隔をあけて地面に複数の支柱を立設し、該複数の支柱に渡りネットを保持させた害獣防護柵において、
前記支柱は、地中に下端が埋設される基杆と、２本の補助杆と、を備え、
前記補助杆は、前記基杆に対して傾斜するようにその下端部が地中に埋設されるとともに、前記２本の補助杆の頂部が、それぞれ前記基杆の頂部に接続される
ことを特徴としている。
この特徴によれば、支柱は、地中に下端が埋設される基杆と、下端部が地中に埋設される２本の補助杆とにより地面に対して３点で支持されるため、支柱の自立力が高まり、基杆や補助杆における地中への刺し込み寸法、ひいては支柱の長さ寸法を短くでき、打ち込み作業や運搬作業時における取り扱いが容易となる。また、支柱が基杆と２本の補助杆により略三角錐の形状を呈することから、野生動物の突進等により支柱が転倒した場合であっても、基杆と２本の補助杆の内の一本が立ち上がった状態となり、ネットの立体形状が維持され、猪や鹿等の野生動物の侵入を確実に阻止することができる。
【０００７】
前記支柱は、前記２本の補助杆の下端が前記基杆より柵外側に配置され、
前記ネットは、前記支柱の上部に保持されるとともに前記補助杆の上に載置されている
ことを特徴としている。
この特徴によれば、傾斜する２本の補助杆上に柵外側から次第に持ち上がるようにネットが配置されることから、野生動物の脚にネットが絡み付き易くなり、野生動物がネットを嫌がって害獣防護柵に近づかない効果を奏することができる。
【０００８】
前記基杆と前記補助杆とは、固定手段により接続されるようになっており、
該固定手段は、前記基杆を取囲む環状の固定部材と、前記補助杆の頂部に設けられた板状の突片と、前記基杆と前記固定部材との間に挿入されて前記固定部材を前記基杆に近接せしめる楔部材と、を備え、
前記補助杆における前記突片は前記基杆と前記固定部材との間に配置される
ことを特徴としている。
この特徴によれば、基杆と基杆を取囲む環状の固定部材との間に補助杆の頂部に設けられる突片が挿入され、更に基杆と固定部材との間に楔部材を挿入することにより固定部材が基杆に対して近接せしめられ、突片が基杆と固定部材とで挟圧されて補助杆が基杆に対して確実に固定される。そのため、基杆と補助杆とを分解した状態で支柱の設置場所まで運びこむことができ、かつ組立作業が容易であるため設置作業効率が高い。
【０００９】
前記補助部は、地中への埋設部分に複数の凹凸を備える
ことを特徴としている。
この特徴によれば、複数の凹凸が地中に食いついて支柱の転倒を防止することができる。
【００１０】
前記支柱は、前記ネットの保持部を上端に有し、該支柱の高さを延長するための延長用基杆を備え、
前記基杆には、前記延長用基杆の取付部が前記固定部材と前記楔部材とに干渉しない位置に設けられている
ことを特徴としている。
この特徴によれば、設置状況に応じて支柱の高さを延長することができるとともに、取付部は、固定部材及び楔部材に干渉しない位置に形成されているため、補助杆を取り付けた後でも支柱の高さを延長することができる。
【図面の簡単な説明】
【００１１】
【図１】害獣防護柵の設置状況を示す斜視図である。
【図２】害獣防護柵の設置状況を示す側面図である。
【図３】固定部材である固定リングが基杆に仮組みされた様子を示す正面拡大図である。
【図４】固定リングに補助杆が仮組みされる様子を示す正面拡大図である。
【図５】（ａ）は、支柱における固定手段を構成する楔部材を打ち込まれる様子を示す背面拡大図であり、（ｂ）は、同じく楔部材が打ち込まれた状態を示す支柱の拡大横断面図である。
【図６】第１の変形例における支柱を示す背面斜視図である。
【図７】同じく第１の変形例における支柱を示す要部拡大側面図である。
【図８】支柱の内の１つが倒れた様子を示す概略図である。
【図９】害獣防護柵を構成する支柱の内の１つが倒れた様子を示す斜視図である。
【図１０】第２の変形例における要部拡大図である。
【図１１】第３の変形例における拡大横断面図である。
【発明を実施するための形態】
【００１２】
本発明に係る害獣防護柵を実施するための形態を実施例に基づいて以下に説明する。
【実施例】
【００１３】
実施例に係る害獣防護柵につき、図１〜図１１を用いて説明する。尚、説明上、図１の左斜め下方を支柱の正面すなわち害獣防護柵の外側、右斜め上方を背面として説明する。
【００１４】
図１に示されるように、害獣防護柵１は、例えば猪や鹿等の害獣による被害対策の対象となる農作物等を栽培する農地や、ゴルフ場等を囲むように設置される。具体的には、所定の間隔をあけて地面に立設される複数の支柱２と、複数の支柱２，２間に横架され、該複数の支柱２に張設されるネット３と、から構成される。
【００１５】
支柱２は、地中に刺し込まれて立設される基杆４と、補助杆５と、後に詳述する基杆４と補助杆５とを接続する固定手段を構成する楔部材６及び固定部材である固定リング７と、から主に構成されている。
【００１６】
図１及び図２に示されるように、基杆４は、例えば、長さ約１４７０ｍｍの金属板を屈曲させた横断面視略Ｌ字の杆からなり、ほぼ鉛直方向に地面に立設されるようになっている。このように基杆４は、金属板を屈曲させた断面視略Ｌ字状に形成されているため曲げに強く、野生動物が暴れた際に破損する虞がない。また、地中に埋設されない頂部近傍における左右端縁には凹状の切欠き８，８が形成されており、前記基杆４を取囲むような三角の環状の固定リング７が遊嵌可能になっている（図３参照）。
【００１７】
補助杆５は、例えば、長さ約１８００ｍｍの金属板を屈曲させた横断面視略Ｌ字の杆からなり、長手方向の上端には、端部より下方に向けて屈曲して延出する突片９を備える（図４参照）とともに、下端部は地中に一部埋設される（図２参照）。尚、補助杆５に対する突片９の屈曲角度は約８０度とされているが、屈曲角度は種々に変更可能である。このように補助杆５も同様に金属板を屈曲させた断面視略Ｌ字状に形成されているため曲げに強くなっている。また下端部には、地中への埋設部分に複数の凹凸部１０が形成されており、この凹凸部１０が地面に食いつくことで支柱２の転倒を抑制している。尚、例えば、補助杆５の下端部に孔部（図示略）を設け、該孔部にペグ等を打ち込むことで地面に固定されるようにしてもよい。
【００１８】
次に、支柱２の組立について図３〜図５を用いて説明する。まず、特に図示はしないが、害獣防護柵１の設置場所において、基杆４を所定間隔（例えば、約２ｍ間隔）をあけて地面に立設していく。このとき、基杆４の上端をハンマーなどにより約４００ｍｍ程度打ち込み、基杆４における地面からの高さが約１０７０ｍｍ程度とすることが好ましい。
【００１９】
次いで、図３に示されるように、基杆４の頂部から固定リング７を挿入して切欠８，８に固定リング７を嵌合させ、固定リング７の下端部７ａを切欠８，８の底部８ａ，８ａ上に仮置きさせる。この固定リング７の仮置きの際、図４に示されるように、固定リング７の後方側内周面７ｂが切欠８，８の両側部８ｂ，８ｂに近接され、基杆４の外面４ａと固定リング７の前方側内周面７ｃとの間に間隙Ｋが形成される（図５（ｂ）参照）。
【００２０】
続いて、図４に示されるように、上述した間隙Ｋ内に補助杆５，５における突片９，９をそれぞれ挿入する。このとき、固定リング７に当該突片９，９における屈曲部９ａ，９ａが引っ掛かり補助杆５，５が支持されるので、自立した基杆４に固定リング７及び補助杆５，５を引っ掛けるようにして仮組みでき、設置作業者の手が塞がらず、作業が容易である。
【００２１】
次に、図５（ａ）及び（ｂ）に示されるように、基杆４と固定リング７の後方側内周面７ｂとの間に、楔部材６を挿入する。楔部材６は金属製であり、上方に向けて漸次太くなる断面視略Ｌ字状の基部６ａと、基部６ａの上端に設けられる叩き部６ｂと、を備えている。作業者は、ここでは図示しないハンマー等で叩き部６ｂを叩いて基杆４の内側面４ｂと固定リング７の後方側内周面７ｂとの間に楔部材６を徐々に打ち込めるようになっている。
【００２２】
楔部材６の基部６ａにおける上部は、基杆４の内側面４ｂと固定リング７の後方側内周面７ｂとの間に形成される空間より大きく形成されているため、楔部材６が徐々に挿入されるにつれて、楔部材６の基部６ａにおける外面６ｃが基杆４の内側面４ｂに当接し、同時に基部６ａにおける屈曲した外側部６ｄ，６ｄがそれぞれ固定リング７の後方側内周面７ｂを押圧する。
【００２３】
固定リング７は、その後方側内周面７ｂを楔部材６に押圧されて、基杆４の内側面４ｂ方向に移動される。これにより基杆４の外面４ａと固定リング７の前方側内周面７ｃとが近接して、補助杆５，５の突片９，９が基杆４の外面４ａと固定リング７の前方側内周面７ｃとで挟圧され、基杆４に対して補助杆５，５が固定される。
【００２４】
また、このように基杆４に対して補助杆５，５を固定する途中または固定した後に、基杆４に対する補助杆５の下方向の屈曲角度、つまり、補助杆５に対する突片９の屈曲角度を調節する。前述したように、補助杆５に対する突片９の屈曲角度は約８０度とされているため、図２に示すように基杆４に対し補助杆５を傾斜状態とするためには、補助杆５を手で押し下げることで屈曲角度を調節する必要がある。このように簡単に屈曲角度を調整できることで、例えば、設置箇所が斜面であるなど不陸であるときにも傾斜角度を容易に調節することができる。
【００２５】
また、基杆４に対して補助杆５，５を固定した状態において、補助杆５，５は、基杆４の頂部から下方に向けて漸次該基杆４から漸次離れるように、かつ、互いに離間するように傾斜して設けられることで、１本の基杆４と２本の補助杆５，５とで略三角錐形状の支柱２が形成される。そして、このように構成される支柱２を、隣り合う支柱２の補助杆５同士を近接するように複数配置していくことで、平面視で略三角形状をなす各支柱２の補助杆５，５が長手方向に向けて連続して形成される。
【００２６】
また、支柱２は、基杆４と固定リング７及び補助杆５を仮組みした状態で楔部材６を打ち込むだけで組立可能であるため組立作業効率が高いばかりか、これらをそれぞれ分解した状態で設置位置まで運搬できることから、運搬に掛かる負担を少なくすることができる。
【００２７】
図１に示されるように、ネット３は樹脂製であり、上下の枠１１Ａと枠１１Ｂの間に複数本の紐１２が編み込まれて網目１３が形成されており、補助杆５の上端近傍に固着されたリング部材１４に枠１１Ａを巻きつけて固定される。また、図２に示されるように、ネット３は補助杆５の上面に案内されながら地面まで延びて、下端すなわち枠１１Ｂ近傍をストッパーシール１５により地面に打ち付けられて固定されている。
【００２８】
図２に示されるように、害獣防護柵１は、地面からネット３の上端までの高さが、標準的な大きさの鹿における胸の高さより高くなっており（高さ約１０７０ｍｍ）、鹿の跳躍力を想定してもネット３を飛び越えられることがなく、かつ、前述したように基杆４を地面に打ち込む際に高い脚立等を必要としない高さとされている。
【００２９】
また、図１及び図２に示すように、ネットにおける網目１３は、鹿や猪等の足大きさ及び脚の太さよりも大きくなるように粗目（例えば、約１２０ｍｍ×１２０ｍｍなど）に形成されており、猪や鹿等の野生動物がネット３に脚を踏み入れることで脚に網目１３が絡むため、野生動物が嫌がって害獣防護柵に近づかないという効果を奏する。
【００３０】
また、前述したように、ネット３は、基杆４に対して傾斜して接続されている補助杆５の上面５ａに載置され案内されるため下向き勾配に傾斜しており、猪や鹿等の野生動物がネット３上に踏み込んで脚を網目１３に引っ掛け易いばかりか、図２に示すように、野生動物の胸から腹にかけて、異物、つまり、ネット３や補助杆５等があたることを極端に嫌がるようになる。更に補助杆５自体が壁として機能することで野生動物の進行を阻む効果も有している。
【００３１】
尚、害獣防護柵１の設置場所における勾配や高低差等によっては、部分的にネット３の地面から上端までの寸法を高くする必要性が生じ、このような状況に対応するために、図６及び図７に示される変形例のような支柱２Ａを害獣防護柵１内に部分的に設けてもよい。支柱２Ａは、基杆４０の内側面４０ｂに矩形状の板体１６が２枚固着されており、これらの板体１６Ａ，１６Ｂに対して、上端部にネット３の枠１１Ａを巻きつけるリング部材１４０を備えた延長パイプ１７を差し込んでネット３の上端の高さを高くできる構造となっている。
【００３２】
板体１６Ａ，１６Ｂには前記固定リング７及び楔部材６に干渉しない位置に延長パイプ１７を差し込む孔１８，１８がそれぞれ設けられており、延長パイプ１７には前記上方側板体１６Ａの孔１８より大径に形成された係止部１９が設けられるとともに、当該延長パイプ１７の下端部近傍には抜け止めピン２０が係合する小孔１７ａが穿設されている。
【００３３】
延長パイプ１７は、上方側の板体１６Ａに係止部１９が当接して下方向へ抜け止めされるとともに、前記小孔１７ａに係合させた抜け止めピン２０が下方側の板体１６Ｂに当接することで上方向への抜け止めがなされるようになっている。このように、基杆４０に、上端にネット３の保持部であるリング部材１４０を有する延長用基杆としての延長パイプ１７の取付部である板体１６Ａ，１６Ｂの孔１８，１８等を設けることで、基杆４０の高さを延長することができる。また、孔１８，１８は固定リング７及び楔部材６に干渉しない位置に形成されているため、補助杆５，５を取り付けた後でも支柱２Ａの高さを容易に延長することができる。
【００３４】
以上説明したように、本発明の害獣防護柵１は、地中に下端が埋設される基杆４と、下端部が地中に埋設される２本の補助杆５，５とにより地面に対して３点で支持されることから支柱２の自立力が高められているため、基杆４や補助杆５，５における地中への刺し込み寸法、ひいては基杆４や補助杆５，５の長さ寸法を短くでき、打ち込み作業や運搬作業等の取り扱いが容易となる。また、傾斜状に配設されるネット３が補助杆５，５上に載置されていることで、補助杆５，５の間に野生動物が侵入してきたときに、ネット３における該野生動物の近傍位置が補助杆５，５により所定高さ位置に保持されるため、ネット３が下方に沈み込んで乗り越えられてしまうことが抑制される。
【００３５】
また、従来の害獣防護柵は地面に直立する複数本の支柱間にネットを張設しているため、この内の一本の支柱が野生動物の突進等により地面から抜けて倒れた場合、ネットにおける倒れた支柱部分に地面と同じ高さの平坦面が形成されてしまい、害獣防護柵の一部分において野生動物の侵入を防止する機能が失われてしまう虞があった。
【００３６】
これに対して、本発明の害獣防護柵１は、支柱２が基杆４と２本の補助杆５により略三角錐の形状となっているため、図８及び図９に示されるように、支柱２が倒れた際であっても、基杆４及び補助杆５Ａで構成される仮想面を底面として補助杆５Ｂが立ち上がった状態となり、この補助杆５Ｂがネットを一部持ち上げて、ネット３の立体形状を維持することができ、野生動物の侵入を阻止する機能を保つことができる。尚、支柱２の倒れ方によっては、基杆４及び補助杆５Ｂが地面に着く場合や、補助杆５Ａ及び補助杆５Ｂが地面に着いて、基杆４が立ち上がった状態となる場合も起こり得ることはいうまでもない。
【００３７】
尚、ネット３の枠１１Ａ及び枠１１Ｂを合成ゴム等で形成して伸縮可能とすることで、支柱２が倒れた際であっても、枠１１Ａが伸びて隣接する支柱２’及び２”が支柱２の転倒に巻き込まれることに起因する転倒若しくは傾斜を防止することができる。
【００３８】
また、ネット３の枠１１Ａ及び枠１１Ｂに、このような伸縮性を有する素材を使用した場合、図１０に示される第２の変形例のように、ネット３の枠１１Ａを補助杆５，５に固着されたリング部材１４に対して固定せずに通すのみとすることで、支柱２の転倒時における隣接する支柱への影響を減らすようにしてもよい。更に、ネット３の枠１１Ａを合成ゴム等の弾性体で形成することで、支柱２の転倒時における隣接する支柱への影響を減らすようにしてもよい。
【００３９】
また、固定リングを基杆４に対して近接せしめる手段は、楔部材６に限らず、例えば、図１１に示される第３の変形例のように、先端に基杆４の内側面４ｂの角部４ｃ周辺に当接する押圧部２１を備えた押圧ボルト２２を固定リング７０の後方側の周壁７０ａに螺合させ、この押圧ボルト２２の螺進により押圧部２１を基杆４の内側面４ｂの角部４ｃ周辺に押圧させ、相対的に固定リング７０の前方側内周面７０ｃを基杆４の外面４ａに近接せしめ、補助杆５，５の突片９，９を挟圧するようにしてもよい。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例において支柱２は、その設置場所において基杆４に対して補助杆５を接続する組立作業を行う態様であるが、これに限らず、予め組み立てた支柱を設置場所に運搬して設置してもよい。
【００４２】
また、前記実施例における基杆４と補助杆５との固定手段は、固定リング７及び楔部材６を利用して固定リング７の前方側内周面７ｃを基杆４の外面４ａに近接せしめて補助杆５，５の突片９，９を挟圧する態様であるが、これに限らず、溶接やボルト・ナット等を用いて基杆４に対して補助杆５が直接固定されてもよい。
【００４３】
また、ネット３における枠１１Ａが巻きつけられるリング部材１４，１４は、補助杆５，５に固着されているが、これに限らず、リング部材１４は一方の補助杆５にのみに固着されてもよいし、基杆４に固着してもよい。
【００４４】
また、ネット３における枠１１Ｂ側は、ストッパーシール１５により地面に直接打ち付けられて固定されているが、これに限らず、補助杆の下端近傍にリング部材を固着し、該リング部材にネット３における枠１１Ｂを巻きつけて固定するようにしてもよい。
【００４５】
また、基杆４及び補助杆５は、断面視略Ｌ字状に限らず、矩形状や円筒形状であってもよいし、使用される素材は金属にかぎらず、合成樹脂等であってもよい。更に、固定リング７及び楔部材６の材質も金属にかぎらず、合成樹脂等であってよい。
【００４６】
また、前記実施例において支柱２は、基杆４に対して２本の補助杆５を接続した構成となっているが、これに限らず、基杆４を断面多角形として、３本以上の補助杆を接続してもよく、例えば断面四角形として、３本の補助杆５を矩形状の３辺に取付けて構成されてもよい。
【００４７】
また、前記実施例において支柱２は、地面に直立する基杆４に対して補助杆５を接続した構成となっているが、これに限らず、例えば基杆と補助杆の区別を無くし、傾斜した同形状の３本以上の支柱を頂部で接続して構成されてもよい。
【００４８】
また、前記実施例において、ネット３は樹脂材にて構成されていたが、例えば、針金等の金属線材により約１２０ｍｍ×１２０ｍｍ〜２００ｍｍ×２００ｍｍ程度の網目を有する金属製のネットを適用してもよい。また、この金属製のネットの一部に突起物を形成することで、野生動物が進入してきたときに刺激痛を与えることができる。
【符号の説明】
【００４９】
１                害獣防護柵
２、２Ａ          支柱
３                ネット
４                基杆
４ａ              基杆外面
４ｂ              基杆内側面
５，５Ａ，５Ｂ    補助杆
５ａ              補助杆上面
６                楔部材（固定手段）
６ａ              楔部材基部
６ｃ              基部外面
６ｄ              基部外側部
７                固定リング（固定部材、固定手段）
７ｂ              固定リング後方側内周面
７ｃ              固定リング前方側内周面
８，８            切欠
９                突片
１０              凹凸部
１１Ａ，１１Ｂ    枠
１３              網目
１４              リング部材
１５              ストッパーシール
１６Ａ，１６Ｂ    板体
１７              延長パイプ
１８，１８        孔
１９              延長パイプ係止部
２０              抜け止めピン
２１              押圧部
２２              押圧ボルト
７０ａ            固定リング周壁
１４０            リング部材
Ｋ                間隙
【図１】
2014166162.tif 000003
【図２】
2014166162.tif 000004
【図３】
2014166162.tif 000005
【図４】
2014166162.tif 000006
【図５】
2014166162.tif 000007
【図６】
2014166162.tif 000008
【図７】
2014166162.tif 000009
【図８】
2014166162.tif 000010
【図９】
2014166162.tif 000011
【図１０】
2014166162.tif 000012
【図１１】
2014166162.tif 000013